【事件の表示】
　特願２００２−１８０９９５「監視用レーザレーダシステム及び撮像方法」拒絶査定不服審判事件〔平成１６年　１月２９日出願公開、特開２００４−　２８６０２〕について、次のとおり審決する。
【結　論】
　本件審判の請求は、成り立たない。
【理　由】
第一　手続の経緯
　本願は、平成１４年６月２１日の出願であって、明細書又は図面について平成１８年４月２１日付けで補正がなされ（以下、「補正１」という。）、平成１８年６月２８日付け（送達：同年７月４日）で拒絶査定がされ、これに対し、同年７月３１日に拒絶査定不服審判が請求されるとともに、同日付けで明細書又は図面についての手続補正（以下、「本件補正」という。）がなされたものである。
　
第二　本件補正についての補正却下の決定
［補正却下の決定の結論］
本件補正を却下する。
［理由］
１．補正の内容
　本件補正は、特許請求の範囲の請求項１を補正前の
「認識対象物であるターゲットに向けてパルスレーザ光を照射するとともに、この照射に同期した所定時間後にシャッタを開いて前記パルスレーザ光の反射光を撮像手段に取り込み、さらにこの撮像手段の出力信号である画像信号を予め決めた読み出し周期毎に読み出して処理してその画像を表示手段で再生する監視用レーザレーダシステムにおいて、
　前記読み出し周期と同じ周期となっている照射周期の中で僅かな遅延時間をおいて複数のパルスレーザ光を順次照射するパルスレーザ光照射手段と、
　前記照射周期の中で僅かな遅延時間をおいて順次照射された各パルスレーザ光が前記ターゲットで反射して戻ってきた反射光を一度に取り込むよう所定時間開状態となるシャッタを有する撮像手段とを有することを特徴とする監視用レーザレーダシステム。」
から、補正後の
「認識対象物であるターゲットに向けてパルスレーザ光を照射するとともに、この照射に同期した所定時間後にシャッタを開いて前記パルスレーザ光の反射光を撮像手段に取り込み、さらにこの撮像手段の出力信号である画像信号を予め決めた読み出し周期毎に読み出して処理してその画像を表示手段で再生する監視用レーザレーダシステムにおいて、
　前記読み出し周期と同じ周期となっている照射周期の中で僅かな遅延時間をおいて複数のパルスレーザ光を順次照射するパルスレーザ光照射手段と、
　前記照射周期の中で僅かな遅延時間をおいて順次照射された各パルスレーザ光が前記ターゲットで反射して戻ってきた反射光を
一回のシャッタ動作で
に補正する補正事項を含むものである。（下線は補正箇所を明示するために請求人が付したものである。）
　
　この補正は、請求項１に記載した発明を特定するために必要な事項である「反射光を一度に取り込む」について「反射光を一回のシャッタ動作で一度に取り込む」と、「一回のシャッタ動作で」との限定を付加する補正事項を含むものであって、該補正事項は特許法第１７条の２第４項２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法１２６条５項の規定に適合するか）について以下に検討する。
　
２．引用例記載の事項・引用発明
　原査定の拒絶の理由に引用され、本願出願前に頒布された刊行物である特開昭４８−６２４６２号公報（以下「引用例」という。）には、次の事項（ａ）〜（ｉ）が図面とともに記載されている。（なお、（ｄ）ないし（ｈ）において図番の後の「〔　〕」内の記載は、記載（ｄ）に基づいて当審で付したものである。）
　
（ａ）「１．射出するパルス光の周期を一定にして、パルス光１個ごとに反射光を受けるためのシャッターの開放する時刻を変えるか、または、シャッターの開放する周期を一定にして射出するパルス光１個ごとの発光時刻を変えることにより、遠距離から近距離までの物体を探知することを特徴とするレーザレーダの探知方法。
２．レーザ発光部とＱスイッチ部とレーザポンピング電力制御部と送信光学部と受信光学部とシャッター部と画像増幅部とＴＶカメラと同期部レーザ発光検出部と可変遅延回路部とパルス幅制御部とシャッター制御部とＴＶモニターと繰り返し周期発振部からなり、パルス幅制御部の調整により分解能を変えて、遠距離から近距離までの物体の画像をＴＶモニターで知覚できることを特徴とするレーザレーダ装置。」（第１頁「２．特許請求の範囲」）
（ｂ）「本発明はレーザを用い、水中、霧中、混濁液中等の散乱物質の中にある物体を探知する方法と装置に関するものである。」（第１頁右下欄第３〜５行）
（ｃ）「従来より散乱媒質中の物体探知の方法として光をパルス状にして発射し、目標物からの反射光が到着する時刻のみ受光器のシャッターを開いて受光する方法がとられていた。・・・シャッターの開く時間をだんだん短くすると目標とする物体の前後にある別の物体からの反射光が受からなくなるためちょうどある一点にピントの合った写真のようになり、その前後のものがわからなくなる。」（第１頁右下欄第６行〜最終行）
（ｄ）「本発明は上記の欠点を克服したもので以下図を参照しながら本発明を説明する。１はレーザ発光部、２はＱスイッチ部、３はレーザポンピング電力制御部、４は送信光学部、５は受信光学部、６はシャッター部、７は画像増幅部、８はＴＶカメラ、９は同期部、１０はレーザ発光検出部、１１は可変遅延回路部、１２はパルス幅制御部、１３はシャッター制御部、１４はＴＶモニター、１５は繰り返し周期発振部である。まず、１〔レーザ発光部〕は９〔同期部〕から制御信号を受けた２〔Ｑスイッチ部〕によってパルス発光を生じ、これによって得た強力なパルス光を４〔送信光学部〕によって目的方向に射出する。鎖線は射出されたパルス光の往復を示す。複線で結んであるのは光学系の接続、単線は電気系の接続である。」（第２頁左上欄第４〜１７行）
（ｅ）「次に目標方向からの反射光は５〔受信光学部〕によって集光され、６〔シャッター部〕を経て７〔画像増幅部〕で増幅され、この増幅された映像を８〔ＴＶカメラ〕によって撮像し、電気信号に変換し、１４〔ＴＶモニター〕で画像として観察する。６〔シャッター部〕は探知しようとする距離から来た反射光が５〔受信光学部〕に帰ってくる時刻に同期して開くように制御される。このための制御信号は１０〔レーザ発光検出部〕によって１〔レーザ発光部〕のパルス光を検出し、１１〔可変遅延回路部〕によって目標物との往復時間だけ遅延させ、１２〔パルス幅制御部〕によって希望するシャッターの開放する時間、すなわち距離分解能に相当するパルス幅に整形した信号であり、この信号によって１３〔シャッター制御部〕を経て６〔シャッター部〕を駆動する。この１２〔パルス幅制御部〕によってきまる時間だけ１個のパルス光毎に遅延時間を短かくすることにより順次探知する距離をちぢめ、１５〔繰り返し周期発振部〕によって定まる周期Ｔの間に、設定された距離範囲内において遠距離から近距離へと走査しながら観測し、この動作を繰り返えす。」（第２頁右上欄第５行〜同頁左下欄第２行）
（ｆ）「８〔ＴＶカメラ〕は９〔同期部〕に同期して撮像するので、１つのパルス光ごとに１枚のＴＶ画像が得られる。」（第２頁左下欄第２〜４行）
（ｇ）「第２図はこれら一連の動作の時間関係を示したもので、Ａは１〔レーザ発光部〕の射出パルス光の発光時間と周期、Ｂは６〔シャッター部〕のシャッターの開放時間と周期を示す。Ａのｔ１でパルス光が射出し、第１図の距離Ｌだけはなれた物体Ｅからの反射光が２Ｌ／ｃ（ｃは光速）の時間だけかかって帰ってきた時刻ｔ２にシャッターが開き、１枚の画像が得られる。このシャッターの動作開始時刻は１１によって決定され、シャッターの開放される時間（図では２ΔＬ／ｃ）、すなわち距離分解能（ΔＬ）は１２〔パルス幅制御部〕で決定される。次のパルス光はＡのｔ３で射出するが、その出力光は３〔レーザポンピング電力制御部〕の制御によって指数関数的に弱くなっており、ΔＬだけ近い目標物Ｆから来る反射光は２Ｌ／ｃより２ΔＬ／ｃだけ早い時刻ｔ４で６〔シャッター部〕が動作するよう１１〔可変遅延回路部〕によって制御される。この動作により２枚目の画像はΔＬだけ近い距離の物体Ｆが同じ強度で受光されたものとなる。３枚目の画像はｔ５において射出したパルス光が物体Ｇに当って反射し、２Ｌ／ｃより４ΔＬ／ｃだけ早いｔ６において６〔シャッター部〕が動作するためＧの映像を前と同じ強度で受光したものとなる。」（第２頁左下欄第４行〜同頁右下欄第４行）
（ｈ）「この動作が次々と周期Ｔの間に繰り返されるため、人間の目の残像効果とＴＶモニター用ブラウン管の残光特性とによって周期Ｔの間（ｔ１から次のｔ１まで）に受光した像の全部は１枚の画像として知覚することができる。１４〔ＴＶモニター〕のＥ、Ｆ、Ｇの画像はその模様を示している。」（第２頁右下欄第４〜１０行）
（ｉ）「このことにより移動物体、静止物体をとわず瞬時に目的とする方向にある物体の全容を知ることができる。」（第２頁右下欄第１２〜１４行）
（ｊ）「以上は射出パルス光の射出間隔を同一にし、受光シャッターの開放の周期の間隔を変えたものであるが、逆に受光シャッターの開放間隔を同一とし、射出パルス光の射出間隔を変えてもよい。」（第２頁右下欄第１５〜１９行）
　
（イ）上記記載（ａ）〜（ｃ）より、「探知する目標物である物体に向けてレーザのパルス光を射出して物体を探知するレーザレーダ装置」との技術事項が読み取れる。
（ロ）上記記載（ａ）、（ｅ）、（ｆ）及び（ｈ）より、「射出に同期した遅延時間後にシャッター部６のシャッターを開放して前記レーザのパルス光の反射光をＴＶカメラ８によって撮像し、さらにこのＴＶカメラ８で変換した電気信号をＴＶモニター１４で画像として知覚できるようにする動作を次々と周期Ｔの間に繰り返して、周期Ｔの間に得られた画像の全部が重畳して１枚の画面として知覚できるようにする」との技術事項が読み取れる。
（ハ）上記記載（ｅ）及び（ｇ）より、「周期Ｔの中で所定の射出間隔で繰り返しレーザのパルス光を射出するレーザ発光部１」及び「前記射出された各レーザのパルス光の前記物体からの反射光を、１個のパルス光を射出する毎にパルス幅制御部１２によって決まる時間だけ短くした遅延時間で開始されるシャッター部６の動作で撮像して電気信号に変換するように所定時間開放されるシャッターを有するシャッター部６及びＴＶカメラ８」との技術事項が読み取れる。
　
　以上の記載（ａ）〜（ｊ）及び（イ）〜（ハ）を総合勘案すると、引用例には次の発明が記載されているものと認められる。
　
「探知する目標物である物体に向けてレーザのパルス光を射出するとともに、この射出に同期した遅延時間後にシャッター部６のシャッターを開放して前記レーザのパルス光の反射光をＴＶカメラ８によって撮像し、さらにこのＴＶカメラ８で変換した電気信号をＴＶモニター１４で画像として知覚できるようにする動作を次々と周期Ｔの間に繰り返して、周期Ｔの間に得られた画像の全部が重畳して１枚の画像として知覚できるようにする物体を探知するレーザレーダ装置において、
　周期Ｔの中で所定の射出間隔で繰り返しレーザのパルス光を射出するレーザ発光部１と、
　前記射出された各レーザのパルス光の前記物体からの反射光を、１個のパルス光を射出する毎にパルス幅制御部１２によって決まる時間だけ短くした遅延時間で開始されるシャッター部６の動作で撮像して電気信号に変換するように所定時間開放されるシャッターを有するシャッター部６及びＴＶカメラ８とを有する物体を探知するレーザレーダ装置。」（以下、「引用発明」という。）
　
３．対比
　本願補正発明と引用発明とを対比する。
  引用発明の「探知する目標物である物体」、「レーザのパルス光」、「射出」、「この射出に同期した遅延時間後に」、「シャッター部６のシャッター」、「レーザのパルス光の反射光」、「ＴＶカメラ８によって撮像し」、「繰り返しレーザのパルス光を射出するレーザ発光部１」、「所定時間開放されるシャッター」、「シャッター部６及びＴＶカメラ８」は、
　本願補正発明の「認識対象物であるターゲット」、「パルスレーザ光」、「照射」、「この照射に同期した所定時間後に」、「シャッタ」、「パルスレーザ光の反射光」、「撮像手段に取り込み」、「複数のパルスレーザ光を順次照射するパルスレーザ光照射手段」、「所定時間開状態となるシャッタ」、「撮像手段」にそれぞれ相当する。
　
　また、引用発明の「物体を探知するレーザレーダ装置」が、物体を探知するものであって、本願補正発明の「監視用レーザレーダシステム」が、ターゲットの発見とともに、ターゲットまでの距離も検知すること、すなわち、所定の探知範囲のターゲットを探知することで監視を行うものである（本願明細書【０００３】〜【０００４】段落参照。）ことからすれば、
　引用発明の「物体を探知するレーザレーダ装置」は、本願補正発明の「監視用レーザレーダシステム」に相当するものといえる。
　
　また、引用発明は、周期Ｔの間に受光した像の全部を１枚の画面として知覚するようにしているものであり、当該周期Ｔで一連の動作を繰り返し行っていくものであることが明らかであって、例えば、「目標物Ｅ」からの反射光の画像を得るためのパルス光の射出、「目標物Ｆ」からの反射光の画像を得るためのパルス光の射出は、それぞれが「周期Ｔ」で繰り返して行われるものである。
　他方、本願補正発明も「読み出し周期」あるいは「読み出し周期と同じ周期である照射周期」で一連の動作を繰り返し行っていくものであることが明らかであって、距離が異なる複数種類の位置からの反射光の画像を得るための各パルスレーザ光 の照射は、それぞれが「照射周期」で繰り返して行われるものである。
　そうしてみると、結局、引用発明の「周期Ｔ」は、本願補正発明の「照射周期」に相当するものといえる。
　
　また、引用発明の「前記射出された各レーザのパルス光の前記物体からの反射光を、１個のパルス光を射出する毎にパルス幅制御部１２によってきまる時間だけ短くした遅延時間で開始されるシャッター部６の動作で撮像して電気信号に変換するように所定時間開放されるシャッター」との構成から、
引用発明は、
「各レーザのパルス光」の射出から「シャッター部の動作」までの遅延時間は、１個のパルス光を射出する毎に「パルス幅制御部１２によってきまる時間」だけ短くなっているものである。
　他方、本願補正発明は、
「各パルスレーザ光」は「僅かな遅延時間をおいて順次照射され」るものであって、シャッタ動作が一回であることから各パルスレーザ光それぞれとシャッタ動作との間隔は各パルスレーザ光のうちの１個を照射する毎に「僅かな遅延時間」だけ短くなっていくものである。
　したがって、引用発明の「前記射出された各レーザのパルス光の前記物体からの反射光を、１個のパルス光を射出する毎にパルス幅制御部１２によってきまる時間だけ短くした遅延時間で開始されるシャッター部６の動作で撮像して電気信号に変換するように所定時間開放されるシャッター」と、
　本願補正発明の「僅かな遅延時間をおいて順次照射された各パルスレーザ光が前記ターゲットで反射して戻ってきた反射光を一回のシャッタ動作で一度に取り込むよう所定時間開状態となるシャッタ」とは、
「各パルスレーザ光の照射と反射光を取り込むためのシャッタ動作との間隔が、各パルスレーザ光毎に順次僅かな遅延時間だけ短くなっている」点で共通するといえる。
　
　さらに、引用発明は周期Ｔの間に得られた画像の全部が重畳して１枚の画像として知覚できるようにするものであるから、引用発明の画像の全部が揃う周期Ｔが読み出しの繰り返し周期であるといえるし、また、本願補正発明は各パルスレーザ光の反射光が重畳した１枚の画像を取り込んで表示するものであるといえることから、
　引用発明の「シャッター部６及びＴＶカメラ８」で「前記射出された各レーザのパルス光の前記物体からの反射光を、１個のパルス光を射出する毎にパルス幅制御部１２によってきまる時間だけ短くした遅延時間で開始されるシャッター部６の動作で撮像」するものであって、「このＴＶカメラ８で変換した電気信号をＴＶモニター１４で画像として知覚できるようにする動作を次々と周期Ｔの間に繰り返して、周期Ｔの間の画像の全部が１枚の画像として知覚できるようにする」ことと、
　本願補正発明の「撮像手段」で「順次照射された各パルスレーザ光が前記ターゲットで反射して戻ってきた反射光を一回のシャッタ動作で一度に取り込む」ものであって、「この撮像手段の出力信号である画像信号を予め決めた読み出し周期毎に読み出して処理してその画像を表示手段で再生する」こととは、
「撮像手段」で「順次照射された各パルスレーザ光が前記ターゲットで反射して戻ってきた反射光をシャッタ動作で取り込む」ものであって、「この撮像手段の出力信号である画像信号を読み出しの繰り返し周期で各パルスレーザ光の反射光が重畳した１枚の画像として表示手段で再生する」点において共通するといえる。
　
　してみると、両者は、
（一致点）
「認識対象物であるターゲットに向けてパルスレーザ光を照射するとともに、この照射に同期した所定時間後にシャッタを開いて前記パルスレーザ光の反射光を撮像手段に取り込み、さらにこの撮像手段の出力信号である画像信号を読み出しの繰り返し周期で各パルスレーザ光の反射光が重畳した１枚の画像として表示手段で再生する監視用レーザレーダシステムにおいて、
　照射周期の中で複数のパルスレーザ光を順次照射するパルスレーザ光照射手段と、
　前記照射周期の中で順次照射された各パルスレーザ光が前記ターゲットで反射して戻ってきた反射光をシャッタ動作で取り込むよう所定時間開状態となるシャッタを有する撮像手段とを有し、各パルスレーザ光の照射と反射光を取り込むためのシャッタ動作との間隔が、各パルスレーザ光毎に順次僅かな遅延時間だけ短くなっている監視用レーザレーダシステム。」
で一致し、以下の相違点で相違する。
　
（相違点）
　パルスレーザ光照射手段と、反射光が重畳した１枚の画像を再生するための手段に関して、
　本願補正発明は、「撮像手段の出力信号である画像信号を予め決めた読み出し周期毎に読み出して処理してその画像を表示手段で再生する」、
「前記読み出し周期と同じ周期となっている照射周期の中で僅かな遅延時間をおいて複数のパルスレーザ光を順次照射する」、
「前記照射周期の中で僅かな遅延時間をおいて順次照射された各パルスレーザ光が前記ターゲットで反射して戻ってきた反射光を一回のシャッタ動作で一度に取り込む」
とあるように、
　パルスレーザ光照射手段が照射周期の中で僅かな遅延時間をおいて複数のパルスレーザ光を順次照射し、シャッタを有する撮像手段が各パルスレーザ光の反射光を一回のシャッター動作で一度に取り込むようにして、各パルスレーザ光の反射光が重畳した画像を表示手段で再生しているものであるのに対して、
　引用発明は、
「周期Ｔの中で所定の射出間隔で繰り返しレーザのパルス光を射出する」、
「１個のパルス光を射出する毎にパルス幅制御部１２によって決まる時間だけ短くした遅延時間で開始されるシャッター部６の動作で撮像して電気信号に変換する」、
「ＴＶカメラ８で変換した電気信号をＴＶモニター１４で画像として知覚できるようにする動作を次々と周期Ｔの間に繰り返して、周期Ｔの間に得られた画像の全部が重畳して１枚の画像として知覚できるようにする」とあるように、
　レーザ発光部１が周期Ｔ（照射周期）の中で複数のパルスレーザ光を順次照射し、シャッターを有するシャッター部６及びＴＶカメラ８（撮像手段）が、前記射出された各レーザのパルス光の前記物体からの反射光を、１個のパルス光を射出する毎にパルス幅制御部１２によって決まる時間だけ短くした遅延時間でシャッター部６の動作を開始して撮像することで得た複数枚の画像の全部が重畳して１枚の画像として知覚できるようＴＶモニタ１４上に表示しているものである点。
　
４．判断
　上記相違点について検討する。
　対象物に対する複数回の照射光の反射光による重畳した画像を得るために、一回のシャッター動作で一度に撮像することは、例えば、ストロボ写真撮影においてのストロボの複数回発光による多重露光撮影として周知技術である。
　そして、引用発明は、複数回の光の照射の反射光による画像を重畳して得ようとするものである点で上記周知技術の多重露光撮影と共通していて、「各パルスレーザ光と反射光を取り込むためのシャッタ動作との間隔が各パルスレーザ光を照射する毎に僅かな遅延時間だけ短くなっていく」ようにする具体化技術として、引用例１の上記記載（ｊ）にはパルス光の射出に対してシャッターを開放するタイミングを変えることとは逆に、シャッターを開放するタイミングに対してパルス光の射出タイミングを変えることが示唆されているといえるから、引用発明に上記の周知技術を適用し、引用発明の複数枚の画像を一回のシャッター動作で一度に撮像するようにし、当該シャッター動作のタイミングに対して各パルスレーザ光の射出のタイミングを、１個のパルス光を射出する毎にパルス幅制御部１２によって決まる時間だけ短くした遅延時間でシャッター部６の動作が開始される関係となるように、複数のレーザのパルス光をパルス幅制御部１２によって決まる時間（僅かな遅延時間）をおいて順次射出するものとして、引用発明の相違点を本願補正発明のごとく、パルスレーザ光照射手段が照射周期の中で僅かな遅延時間をおいて複数のパルスレーザ光を順次照射し、シャッタを有する撮像手段が各パルスレーザ光の反射光を一回のシャッター動作で一度に取り込むようにして、各パルスレーザ光の反射光が重畳した画像を表示手段で再生するように構成すること、すなわち、「前記読み出し周期と同じ周期となっている照射周期の中で僅かな遅延時間をおいて複数のパルスレーザ光を順次照射する」、「前記照射周期の中で僅かな遅延時間をおいて順次照射された各パルスレーザ光が前記ターゲットで反射して戻ってきた反射光を一回のシャッタ動作で一度に取り込む」及び「撮像手段の出力信号である画像信号を予め決めた読み出し周期毎に読み出して処理してその画像を表示手段で再生する」ように構成することは当業者が容易に想到できたことである。
　
　そして、本願補正発明の作用効果も、引用発明及び周知技術から当業者が予測可能なものであって格別のものではない。
　
　したがって、本願補正発明は、引用発明及び周知技術に基づいて当業者が容易に発明をすることができたものであるから、特許法２９条第２項の規定により特許出願の際独立して特許を受けることができないものである。
　
５．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三　本願発明について
　本件補正は上記のとおり却下されたので、本願の請求項１ないし７に係る発明は、前記補正１によって補正された明細書及び図面の記載からみて、その特許請求の範囲の請求項１ないし７に記載された事項により特定されるとおりのものと認められるところ、その請求項１に係る発明は次のとおりである。
「認識対象物であるターゲットに向けてパルスレーザ光を照射するとともに、この照射に同期した所定時間後にシャッタを開いて前記パルスレーザ光の反射光を撮像手段に取り込み、さらにこの撮像手段の出力信号である画像信号を予め決めた読み出し周期毎に読み出して処理してその画像を表示手段で再生する監視用レーザレーダシステムにおいて、
　前記読み出し周期と同じ周期となっている照射周期の中で僅かな遅延時間をおいて複数のパルスレーザ光を順次照射するパルスレーザ光照射手段と、
　前記照射周期の中で僅かな遅延時間をおいて順次照射された各パルスレーザ光が前記ターゲットで反射して戻ってきた反射光を一度に取り込むよう所定時間開状態となるシャッタを有する撮像手段とを有することを特徴とする監視用レーザレーダシステム。」（以下、「本願発明」という。）
　
１．引用例記載の事項・発明
　原査定の拒絶の理由に引用された引用発明・事項は、前記第二　２．引用例記載の事項・引用発明に記載したとおりである。
　
２．対比・判断
　本願発明は、前記第二　１．補正の内容、で検討した本願補正発明から「反射光を一度に取り込む」についての限定事項である「一回のシャッタ動作で」との発明特定事項を省いたものである。
　そうすると、本願発明の発明特定事項をすべて含み、さらに他の発明特定事項を付加したものに相当する本願補正発明が、前記第二　４．当審の判断に記載したとおり引用発明に基づいて当業者が容易に発明をすることができたものであるから、本願発明も同様の理由により、引用発明及び周知技術に基づいて当業者が容易に発明をすることができたものである。
　
３．むすび
　以上のとおり、本願発明は、引用発明及び周知技術に基づいて当業者が容易に発明をすることができたものであるから、特許法第２９条第２項の規定により特許を受けることができない。
　したがって、他の請求項に係る発明について審理するまでもなく、本願は拒絶すべきものである。
　よって、結論のとおり審決する。